(57)【要約】【課題】出入り口に隣接する室内空間内に外気が流入するのを抑制できると共に、流入した外気の影響を抑制でき、更に、装置全体の構成を簡略化できるアトリウムにおける空気調整方法及び装置の提供を課題とする。【解決手段】本発明は、建造物２の外部と室内とを連絡し且つ外気の流入を抑制するための風除室１５を有する出入り口１１と隣接する室内空間１０に、出入り口１１から流入する外気の影響を抑制する空気調整方法である。この空気調整方法は、風除室１５に空気流によるエアカーテンを形成するとともに、出入り口１１と隣接する室内空間１０の上方の空気を下方へと送り、出入り口１１と隣接する室内空間１０の下部の空気と混合させる。本発明では、エアカーテンによって出入り口１１から流入する外気の量を抑制できる。また、流入した外気を室内空間１０の上方の空気と混合させることにより、出入り口１１付近の空気温度を室温に近づけることができる。【選択図】図１
2006029624.tif 000002
【特許請求の範囲】
【請求項１】
建造物の外部と室内とを連絡し、且つ前記外部から前記室内に流入する外気を抑制するための風除室を有する出入り口に対して隣接する室内空間に、前記出入り口から流入する外気の影響を抑制する空気調整方法であって、
前記風除室に空気流によるエアカーテンを形成するとともに、
前記出入り口と隣接する前記室内空間の上方の空気を下方へと送り、前記出入り口と隣接する前記室内空間の下部の空気と混合させることを特徴とする建造物の出入り口と隣接する室内空間における空気調整方法。
【請求項２】
前記出入り口と隣接する室内空間における上方の空気を前記エアカーテン用空気として送り、前記室内空間の下部における外部からの流入空気と混合させることを特徴とする請求項１に記載の建造物の出入り口と隣接する室内空間における空気調整方法。
【請求項３】
前記出入り口と隣接する室内空間内における一部分の空気温度がその周囲の空気温度より低い場合には、前記出入り口と隣接する室内空間内に設けられた輻射熱放射手段によって、前記一部分に輻射熱を放射することを特徴とする請求項１又は２に記載の建造物の出入り口と隣接する室内空間における空気調整方法。
【請求項４】
前記出入り口から前記出入り口と隣接する室内空間内に流入した外気を、前記出入り口と隣接する室内空間内の上方の空気と混合させる際には、前記出入り口の上縁より高く、且つ高さの異なる複数の場所から下方に向けて空気を送出することを特徴とする請求項１から３の何れかに記載の建造物の出入り口と隣接する室内空間における空気調整方法。
【請求項５】
建造物の外部と室内とを連絡し、且つ前記外部から前記室内に流入する外気を抑制するための風除室を有する出入り口に対して隣接する室内空間に、前記出入り口から流入する外気の影響を抑制する空気調整装置であって、
前記風除室に空気流によるエアカーテンを形成するエアカーテン装置と、
前記出入り口の上縁より上方の前記出入り口と隣接する室内空間に設けられ、下方に向けて空気を送る送風手段とを有することを特徴とする建造物の出入り口と隣接する室内空間における空気調整装置。
【請求項６】
前記エアカーテン装置は、前記風除室の出入り方向に沿って該風除室を仕切る仕切壁を有すると共に、この仕切壁下部であって、かつ、前記風除室の進行方向に沿って開口した空気吹き出し口をこの仕切壁に有し、
かつ、前記風除室の上方の空気を誘引して、前記仕切壁内側の送風路に送り、前記空気吹き出し口から排出させ、前記風除室の側方から出入り方向に対し、直交する方向に空気流によるエアカーテンを形成することを特徴とする請求項５に記載の建造物の出入り口と隣接する室内空間における空気調整装置。
【請求項７】
前記出入り口と隣接する室内空間内における一部分の空気温度がその周囲の空気温度より低い場合、前記一部分に輻射熱を放射する輻射熱放射手段を有することを特徴とする請求項５に記載の建造物の出入り口と隣接する室内空間における空気調整装置。
【請求項８】
前記送風手段は、前記出入り口の上縁より高く且つ高さの異なる複数の場所に設けられていることを特徴とする請求項５から７の何れかに記載の建造物風除室と隣接する室内空間における空気調整装置。
【発明の詳細な説明】
【技術分野】
【０００１】
本発明は、建造物の出入り口と隣接する室内空間における空気調整方法及び装置に係り、特に、冬季において建造物の出入り口と隣接する室内空間内に外部から流入した冷気の影響を抑制するのに好適な建造物の出入り口と隣接する室内空間における空気調整方法及び装置に関する。
【背景技術】
【０００２】
最近、ビルの大型化に伴ってその出入り口に隣接して設けられたアトリウム（建築物内部の吹き抜け空間）も大型化している。このような大型のアトリウムにおいては、特に、冬季において出入り口から冷気が流入すると、この冷気が出入り口付近に滞留してしまい、利用者に不快感を与えるという問題がある。
【０００３】
そのため、従来は、アトリウムの出入り口にエアカーテンや二重扉を設けて、冷気の流入をできるだけ少なくすることによって、利用者に与える影響を抑制するようにしていた。
【特許文献１】特開平５−２８８３８４号公報
【特許文献２】特開２００２−２１３１０４号公報
【特許文献３】特開平６−１８０８５号公報
【特許文献４】特開平１０−１７００５１号公報
【特許文献５】特開平１０−１３２３５４号公報
【発明の開示】
【発明が解決しようとする課題】
【０００４】
しかしながら、従来のエアカーテンや二重扉により冷気の流入を抑制する方法では、冷気の流入量を抑制することはできるものの、一旦アトリウム内に冷気が流入すると、この冷気が出入り口付近に滞留するという問題があった。
【０００５】
このような問題を解決するために、アトリウム内の圧力を外部より高くして冷気の流入量を抑制することも考えられるが、この場合には、流入する冷気の数倍の空気をアトリウムから外部に押し出す必要があり、そのための設備が大がかりになるので実用には適さない。
【０００６】
上記と同様な問題は、アトリウムに限らず、エントランスホール、ロビーなど出入り口に隣接して設けられた各種の室内空間において発生する。
【０００７】
本発明は、このような問題に鑑みなされたもので、出入り口と隣接する室内空間内に外気が流入するのを抑制できると共に、出入り口から流入した外気が出入り口付近に滞留するのを防止し、更に、装置全体の構成を簡略化できる建造物の出入り口と隣接する室内空間における空気調整方法及び装置の提供を課題とする。
【課題を解決するための手段】
【０００８】
本発明は、前記課題を解決するため、以下の手段を採用した。すなわち、本発明は、建
造物の外部と室内とを連絡し、且つ前記外部から前記室内に流入する外気を抑制するための風除室を有する出入り口に対して隣接する室内空間に、前記出入り口から流入する外気の影響を抑制する空気調整方法であって、
前記風除室に空気流によるエアカーテンを形成するとともに、
前記出入り口と隣接する前記室内空間の上方の空気を下方へと送り、前記出入り口と隣接する前記室内空間の下部の空気と混合させることを特徴とする。
【０００９】
本発明では、建造物における出入り口の風除室に形成したエアカーテンによって外気の流入を抑制でき、更に、出入り口から流入した外気を出入り口と隣接する室内空間内の上方の空気と混合させることにより、流入した外気が出入り口付近に滞留するのを防止できる。
【００１０】
上記の出入り口と隣接する室内空間としては、出入り口から執務室など利用者が所定の目的を持って居室する部屋に至るまでの空間、例えばアトリウム（建築物内部の吹き抜け空間）、エントランスホール、ロビーなどを例示できる。
【００１１】
ここで、前記出入り口と隣接する室内空間における上方の空気を前記エアカーテン用空気として送り、前記室内空間の下部における外部からの流入空気と混合させることが好ましい。
【００１２】
この場合は、エアカーテン用空気として用いられる出入り口と隣接する室内空間の上方の空気が、外部から出入り口を通って室内空間に流入する外気と混合されるので、出入り口から流入する外気の温度を出入り口と隣接する室内空間内の空気温度に近づけることができる。
【００１３】
また、前記出入り口と隣接する室内空間内における一部分の空気温度がその周囲の空気温度より低い場合には、前記出入り口と隣接する室内空間内に設けられた輻射熱放射手段によって、前記一部分に輻射熱を放射することが好ましい。
【００１４】
この場合は、出入り口と隣接する室内空間内の一部分の空気温度が周囲の空気温度より低くても、上記一部分にいる利用者に輻射熱が照射されて、その利用者の体感温度が上昇する。
【００１５】
また、前記出入り口から前記出入り口と隣接する室内空間内に流入した外気を、前記出入り口と隣接する室内空間内の上方の空気と混合させる際には、前記出入り口の上縁より高く、且つ高さの異なる複数の場所から下方に向けて空気を送出することが好ましい。
【００１６】
この場合は、出入り口と隣接する室内空間内の上方の空気が下方へ送られる際に、その途中で下方へ送られる空気に段階的に下方への圧力が加えられるので、空気を下方へ送るための圧力を小さくできる。
【００１７】
また、本発明は、建造物の外部と室内とを連絡し、且つ前記外部から前記室内に流入する外気を抑制するための風除室を有する出入り口に対して隣接する室内空間に、前記出入り口から流入する外気の影響を抑制する空気調整装置であって、
前記風除室に空気流によるエアカーテンを形成するエアカーテン装置と、
前記出入り口の上縁より上方の前記出入り口と隣接する室内空間に設けられ、下方に向けて空気を送る送風手段とを有することを特徴とする。
【００１８】
本発明では、エアカーテン装置と送風手段だけで空気調整装置を構成できるので、装置全体の構成を簡略化できる。なお、送風手段としてはファンを例示できる。
【００１９】
また、前記エアカーテン装置は、前記風除室の出入り方向に沿って前記風除室が形成され該風除室を仕切る仕切壁を有すると共に、この仕切壁下部であって、かつ、前記風除室の進行方向（出入り方向）に沿って開口した空気吹き出し口をこの仕切壁に有し、
かつ、前記風除室の上方の空気を誘引して、前記仕切壁内側の送風路に送り、前記空気吹き出し口から排出させ、前記風除室の側方から出入り方向に対し、直交する方向に空気流によるエアカーテンを形成することが好ましい。
【００２０】
また、前記出入り口と隣接する室内空間内における一部分の空気温度がその周囲の空気温度より低い場合、前記一部分に輻射熱を放射する輻射熱放射手段を有することが好ましい。
【００２１】
また、前記送風手段は、前記出入り口の上縁より高く且つ高さの異なる複数の場所に設けられていることが好ましい。
【００２２】
なお、以上の各構成要素は、可能な限り互いに組み合わせることができる。
【発明の効果】
【００２３】
以上説明したように、本発明によれば、エアカーテンによって建造物の出入り口と隣接する室内空間内に流入する外気の量を抑制できると共に、出入り口と隣接する室内空間内に流入した外気が上方の空気と混合されることにより、外気が出入り口付近に滞留するのを防止でき、これにより出入り口付近の温度を室内温度に近づけることができるので、出入り口付近にいる利用者に不快感を与えるのを抑制できる。
【００２４】
また、本発明は、エアカーテン装置と送風手段とで構成できるので、装置全体の構成を簡略化でき、これによりコストダウンが可能になる。
【発明を実施するための最良の形態】
【００２５】
以下、本発明の実施の形態を添付した図１から図１１に基づいて詳細に説明する。
【００２６】
図１は、本発明に係る建造物の出入り口と隣接する室内空間における空気調整装置１を示す平面図である。
【００２７】
この空気調整装置１は、建造物２の外部と室内とを連絡し且つ外気の流入を抑制するための風除室１５を有する第１出入り口１１に対して、隣接する室内空間であるアトリウム１０に第１出入り口１１から流入する外気の影響を抑制するものである。
【００２８】
この空気調整装置１は、風除室１５に空気流によるエアカーテンを形成するエアカーテン装置１２と、第１出入り口１１の上縁より上方で、第１出入り口１１と隣接するアトリウム１０内に設けられ、下方に向けて空気を送る送風手段である攪拌ファン１３とを有している。なお、ここでは、アトリウムを建造物内部の吹き抜け空間の意味で用いる。
【００２９】
上記の第１出入り口風除室１１の両側には、この第１出入り口１１から少し離れて位置する２個の第２出入り口１４，１４が設けられている。第２出入り口には、手動ドア３３が設けられている。
【００３０】
本例では、既設の回転扉を改造して第１出入り口１１が設けられている。本実施形態では、夜間に建造物を閉鎖するため、第１出入り口１１における風除室１５の両側に扉を有するが、建造物の開館時はこの扉が常時開放されている。従って、第１出入り口１１に扉がなく、屋内と屋外とは連通していても良い。
【００３１】
なお、図２中の符号１７は空気送出路、１８は空気吹き出し口、１９は空気吸い込み口、２０は空気回収路、３２は風除室１５の両側に設けられた仕切壁であり、これらの構成については、次に説明する。
【００３２】
エアカーテン設備１２は、図３に示すように、風除室１５の上方の空気を誘引して、仕切壁３２内側（風除室１５の外側）の送風路１７に送り、空気吹き出し口１８から噴出させ、風除室１５の側方から出入り方向Ｘ（図２参照）に対し、直交する方向Ｙに空気流によるエアカーテンを形成するように構成されている。
【００３３】
すなわち、このエアカーテン装置１２は、風除室１５の出入り方向Ｘ（図２参照）に沿って、風除室１５の内部空間を仕切るため上記の仕切壁３２を有している。
【００３４】
また、このエアカーテン装置１２は、上記の仕切壁３２の下部であって、第１出入り口１１の出入り方向Ｘに沿って且つ風除室１５の内側に向けて開口した複数の空気吹き出し口１８を仕切壁３２に有している。
【００３５】
また、このエアカーテン設備１２は、第１出入り口１１の仕切り壁３２より上側に設けられたファン１６と、上記の空気吹き出し口１８から噴出された空気を回収するため、仕切壁３２の上部側に設けられた空気吸い込み口１９と、この空気吸い込み口１９で吸い込まれた空気をファン１６側に戻すため仕切壁３２の外側（風除室１５の外側）に設けられた空気回収路２０とを備えている。
【００３６】
上記の空気吹き出し口１８は、第１風除室１１の高さ方向における中央付近から床面３１までの間に、縦横に互いに適宜な間隔をあけて多数設けられている。
【００３７】
つまり、仕切り壁３２は多孔板で形成されている。開口した吹き出し口１８のうち最も高い位置にある吹き出し口の高さは、風除室１５の高さの１／３程度であり、本実施形態では風除室１５の高さが２．５ｍ程度、最上部の吹き出し口１８の高さが０．８ｍ程度である。
【００３８】
第１出入り口１１の上側におけるファン１６の周囲空間は、図４に示すように、仕切部材２１によって仕切られ、ファン１６の空気送出側に位置するサプライチャンバー２２と、ファン１６の空気吸い込み側に位置する吸い込みチャンバー２３とが設けられている。
【００３９】
このうち、サプライチャンバー２２は、上記の空気送出路１７の上部側に接続されている。また、吸い込みチャンバー２３は、上記の空気回収路２０の上部側に接続されている。
【００４０】
ファン１６から送出された空気２４Ａは、サプライチャンバー２２、及び空気送出路１７を介して、空気吹き出し口１８から吹き出し気流として噴出される。
【００４１】
また、空気吹き出し口１８から風除室１５内に噴出され、エアカーテンとして用いられた空気２４Ｂは、風除室１５の上方に設けられた空気吸い込み口１９（図２，３参照）から吸い込まれ、空気回収路２０、及び吸い込みチャンバー２３を介して、ファン１６の吸い込み口側に吸い込み気流として戻される。
【００４２】
図１の攪拌ファン１３は、図５に示すように、第１出入り口１１の上縁１１ａより上方に複数設けられている。これらの攪拌ファン１３は、アトリウム１０内における高さが異なる場所、本例では、アトリウム１０内の空間に面している２階〜４階の床部２５〜２７
に設けられている。
【００４３】
これらの攪拌ファン１３から、下方に向けて空気２８が送出される。また、上記の攪拌ファン１３は、ノズル付きのファンであり、各床部２５〜２７に１台又は床部の幅方向に間隔をおいて複数台設けられている。本例では、各床部２５〜２７にそれぞれ６台設置されている。
【００４４】
次に、この建造物の出入り口と隣接する室内空間における空気調整装置１の作用を説明する。ここでは、冬季を想定して説明する。
【００４５】
まず、第１出入り口１１からアトリウム１０内に流入する外気（冷気）について検討する。
【００４６】
（流入冷気風量及び熱量の算定）
本例では、図６に示すように、アトリウム１０内の室温を２２℃、外部の気温を０℃とする。アトリウム１０内に外気が流入する開口は、第１出入り口１１と第２出入り口１４，１４の３箇所である（図１参照）。
【００４７】
ここで、第１出入り口１１の開口面積Ａ１＝３．１ｍ（幅Ｗ）×２．４ｍ（高さＨ）、第２出入り口１４の開口面積Ａ２＝２．０５ｍ（幅Ｗ）×２．６ｍ（高さＨ）とする。
【００４８】
図７に示すように、第１出入り口１１及び第２出入り口１４の室内外における圧力差ΔＰ，風速Ｕ（ｚ），流入風量Ｑは、数式（１）〜（３）によって求めることができる。なお、図７中の左側の図は圧力差ΔＰを示す図、右側の図は風速Ｕ（ｚ）を示す図である。
【００４９】
ここで、第２出入り口１４，１４に設けられた手動ドアが常時開放されているものと想定し、第１出入り口１１及び第２出入り口１４，１４を一個の開口と見なす。
【００５０】
そして、図７に示すように、この一個の開口を適宜な幅及び高さを有する出入り口２９としてモデル化する。また、本例では、このモデル出入り口２９の幅を、上記第１及び第２出入り口１１，１４の幅の合計（２．０５＋３．１＋２．０５）ｍ＝７．２ｍ、高さを２．５ｍとする。
【００５１】
数式（１）に、空気比重量γ＝１．２ｋｇｆ／ｍ3、空気体膨張係数β＝１／３００、温度差ΔＴ＝２２℃、モデル風除室２９の開口高さＨ＝２．５ｍを代入すると、モデル風除室２９における内外の圧力差ΔＰ＝０．２２ｍｍＡｑを得る。
【００５２】
また、モデル出入り口２９から室内への流入気流の最大風速Ｕｍａｘは、（γ／２ｇ）×（Ｕｍａｘ）2＝（１／２）×ΔＰ＝０．１１の関係から、Ｕｍａｘ＝１．３ｍ／ｓとなる。
【００５３】
数式（２）（３）から、モデル出入り口２９からの流入風量Ｑは、開口幅１ｍにつきＱ＝０．８×（２／３）×（２．５／２）×（２×９．８×１．２×（１／３００）×２２×（２．５／２））1/2≒０．９８（ｍ3／ｓ）となる。
【００５４】
また、モデル出入り口２９の全幅からの流入風量Ｑ＝（０．９８ｍ3／ｓ）×（７．２ｍ）×（３６００ｓ）≒２５，０００（ｍ3／ｈ）となる。
【００５５】
この場合、外気流入負荷は、（２５０００ｍ3／ｈ）×（２２℃）×（０．２８８ｋｃｌ／ｍ3℃）＝１５８，４００ｋｃａｌ／ｈ≒１８４ｋWとなる。
【００５６】
（エアカーテンによる外気流入抑制効果）
図８は、第１出入り口１１における空気の流れを示す。ここで、エアカーテン装置１２の空気吹き出し面積Ａ＝１．５ｍ（幅）×１．０ｍ（高さ）、吹き出し風速Ｖ１＝１．０ｍ／ｓ、エアカーテン風量ＱＡ＝１０，８００ｍ3／ｈとする。
【００５７】
吹き出し風速Ｖ１＝１．０ｍ／ｓは、第１出入り口１１からの外気流入風速Ｕｍａｘ＝１．３ｍ／ｓと同等レベルであり、第１出入り口１１を通過する利用者が特に不快を感じないレベルである。
【００５８】
第１出入り口１１にエアカーテンがない場合には、図９（ａ）に示すように、第１出入り口１１から室内への流入風量Ｑ１＝１１，０００ｍ3／ｈとなる。
【００５９】
第１出入り口１１にエアカーテンを設けた場合には、図９（ｂ）に示すように、エアカーテンによる流入有効面積縮小効果が作用し、第１出入り口１１から室内への流入外気量は、エアカーテンがない場合に比べて３０％程度低減される。すなわち、第１出入り口１１から室内への流入外気量Ｑ２＝Ｑ１×０．７＝７，７００ｍ3／ｈ程度となる。
【００６０】
また、エアカーテン吹き出し気流（２２℃）と、流入冷気（０℃）とが混合され、流入冷気の温度が緩和される。本例では、エアカーテン吹き出し気流の３０％程度の混合効果があるものとする。
【００６１】
この混合効果により、流入冷気の温度Ｔ１＝｛（７，７００ｍ3／ｈ）×（０℃）｝＋｛（１０，８００ｍ3／ｈ）×０．３×（２２℃）｝＝６．５℃程度となる。
【００６２】
このエアカーテンにおける排気熱の回収混合効果による省エネルギー効果は、厳冬期で約半減を期待できる。すなわち、第１出入り口１１にエアカーテンがない場合の暖房負荷は、（１１，０００ｍ3／ｈ）×（２２℃）×０．２８８＝６９，６９６ｋｃａｌ／ｈである。
【００６３】
これに対して、第１出入り口１１にエアカーテンがある場合の暖房負荷は、（７，７００ｍ3／ｈ）×｛（（２２−６．５）℃）｝×０．２８８＝３４，３７２ｋｃａｌ／ｈとなる。
【００６４】
第１出入り口１１にエアカーテンがある場合の暖房負荷は、エアカーテンがない場合に比べて３５，３２４ｋｃａｌ／ｈ少なく、約５０％の低減となる。
【００６５】
（攪拌ファン１３による空気混合効果）
図１０は、攪拌ファン１３から下方に空気を送った場合におけるアトリウム１０内の空気３０の流れを示す。なお、ここでは一個の攪拌ファン１３について説明するが、攪拌ファン１３が複数個ある場合には、各攪拌ファン１３について同様に作用する。
【００６６】
アトリウム１０内では、上方の空気３０が異なる高さに設けられた攪拌ファン１３（１個のみ図示）によって斜め下方に送られる。この斜め下方に送られた空気３０は、攪拌ファン１３の斜め下方で第１出入り口１１寄りの床面３１に衝突し、床面３１に沿って放射方向にある程度の距離だけ流れた後上昇し、再度攪拌ファン１３によって下方に送られる。
【００６７】
そして、上階、本実施例では４階床付近の最高点の空気を４階床に設置した攪拌ファン１３で３階近傍に送り、これ以降同様にして攪拌ファン１３の周囲の空気を誘引しながら
１階床近傍まで下降させる。
【００６８】
このようにして、アトリウム１０内の上下の空気３０が上下に循環する。このとき、床面３１から２ｍ程度の高さまでは、低温外気の誘引混合域Ｙ１となり、それより上では周囲空気の誘引混合域Ｙ２となる。これにより、上方の温度の高い空気３０と、第１風除室１１から流入した冷気とが混合され、第１風除室１１付近の空気温度が、流入した冷気の温度より高くなる。
【００６９】
例えば、攪拌ファン１３の送風量が１，０００ｍ3／ｈであり、この攪拌ファン１３が１０台設置されている場合には、攪拌ファン１３から送出される合計風量は１０，０００ｍ3／ｈとなる。
【００７０】
攪拌ファン１３から空気３０が送出されると、その周囲の空気が誘引される。この誘因風量は攪拌ファン１３から送出される空気量の３倍程度、本例では３０，０００ｍ3／ｈ程度になる。従って、上下に循環する空気量は合計４０，０００ｍ3／ｈ程度となる。
【００７１】
この循環する空気３０は、第１出入り口１１からアトリウム１０内に流入する冷気と混合される。エアカーテンがある場合、第１出入り口１１からアトリウム１０内に流入する全空気量ＱＴは、外部から第１出入り口１１内に流入する流入外気量Ｑ２と、エアカーテンで用いられる空気量ＱＡの約３割の空気量（０．３ＱＡ）との合計になる。すなわち、ＱＴ＝（７，７００ｍ3／ｈ）＋｛（１０，８００×０．３）ｍ3／ｈ｝≒１１，０００ｍ3／ｈとなる。
【００７２】
アトリウム１０内で上下に循環する空気量４０，０００ｍ3／ｈと、第１出入り口１１からアトリウム１０内に流入する冷気の全空気量ＱＴ＝１１，０００ｍ3／ｈとが混合された場合、アトリウム１０内の空気による混合の効果を３０％とすると、混合された空気の温度Ｔ２＝｛（１１，０００ｍ3／ｈ）×（６．５℃）＋（４０，０００ｍ3／ｈ）×０．３×（２２℃）｝／｛（１１，０００ｍ3／ｈ）＋（４０，０００ｍ3／ｈ）×０．３｝＝１４．６（℃）となる。
【００７３】
すなわち、流入した冷気と室内における上方の空気とが混合した後の温度は、第１出入り口１１から室内に流入した冷気の温度６．５℃より、８．１℃高くなる。
【００７４】
このように、本発明では、アトリウム１０の第１出入り口１１にエアカーテンを形成すると共に、第１出入り口１１の上縁より上方に攪拌ファン１３を設けて、アトリウム１０内の空気を上下に循環させることにより、第１出入り口１１よりアトリウム１０内に流入した外部の冷気と、アトリウム１０内の上の空気とを混合させて、第１出入り口１１近傍の温度を室温に近づけることができる。
【００７５】
例えば、上記のように外部から第１出入り口１１に流入する冷気の温度が０℃程度であり、アトリウム１０内の上方の空気温度が２２℃である場合、アトリウム１０内の第出入り口１１付近では、空気の温度が１４．６℃程度まで高くなるので、第１出入り口１１の付近にいる利用者に不快感を与えるのを防止できる。
【００７６】
また、本発明の空気調整装置１は、エアカーテン装置１２及び攪拌ファン１３など一般的な設備を用いて構成できるので、装置全体の構成を簡略化でき、これによりコストダウンが可能になる。
【００７７】
また、建造物２の上層階では、冬季においても冷房を施す傾向にあり、上記のようにアトリウム１０内の空気３０を上下に循環することにより、第１出入り口１１付近の冷気が
上層階にも拡散されるので、上層階において熱利得（ヒートゲイン、冷房負荷低減）が得られる。
【００７８】
なお、厳冬期のように、アトリウム内外の温度差が所定値以上の場合には、第２出入り口１４，１４を常時閉鎖したり、アトリウム１０内の空気を冷却して空気温度を下げて、内外の温度差を小さくすることによって、冷気の流入を更に抑制できる。
【００７９】
また、アトリウム１０内で冷気の影響が大きい一部分、すなわち、一部分の空気温度がその周囲の部分より低い場合には、この一部分に輻射暖房器具を用いて輻射熱を放射することにより、ここにいる利用者の体感温度が改善される。従って、利用者に不快感を与えるのを防止できる。
【００８０】
更に、上記の実施例では、第１出入り口１１の両側から風除室１５に空気を噴射してエアカーテンを設けたが、図１１に示すように、第１出入り口１１の床面３１に空気吹き出し口１８を設け、この空気吹き出し口１８から風除室１５に０．５ｍ／ｓ程度で空気を噴射することができる。
【００８１】
これにより、流入冷気と室内空気との混合が促進されるので。第１出入り口１１から室内に流入する冷気の温度を更に室内温度に近づけることができる。
【００８２】
なお、上記の実施例では、第１及び第２出入り口１１，１４からアトリウム１０内に外部から流入する冷気の影響を抑制する場合について説明したが、アトリウム１０の上方に窓ガラスが設けられている場合には、窓ガラスの近傍の空気が冷却されて、コールドドラフトが第１出入り口１１付近まで下降した際にも、このコールドドラフトの影響を本発明の空気調整装置１によって抑制できる。
【００８３】
また、上記の実施例では、本発明をアトリウムに適用した場合に説明したが、本発明はアトリウムに限らず、エントランスホール、ロビーなど各種の出入り口と隣接する室内空間に適用できる。
【００８４】
更に、上記の実施例では、風除室１５の水平断面を楕円形にした場合について例示したが、矩形でも良い。また、風除室１５は、建造物２の内側と外側とをある程度の奥行き（出入り方向の距離）をもって隔てる空間であればよい。
【図面の簡単な説明】
【００８５】
【図１】本発明に係るアトリウムにおける空気調整装置を示す平面図である。
【図２】本発明に係る風除室を示す斜視図である。
【図３】本発明に係るエアカーテン装置を示す正面図であり、図１のＡ矢視図である。
【図４】本発明に係るエアカーテン装置のファン及び空気の通路を示す上面図であり、図３のＢ−Ｂ断面図である。
【図５】本発明に係る攪拌ファンの設置位置を示す側面図である。
【図６】本発明に係る外気が流入する風除室を示す図である。
【図７】本発明に係るモデル風除室における内外の圧力差、流入風速、流入空気量などの算出方法を示す図である。
【図８】本発明に係る風除室における空気の流れを示す斜視図である。
【図９】本発明に係るエアカーテンの作用を説明する平面図であり、図９（ａ）はエアカーテンがない場合の流入外気量、図９（ｂ）はエアカーテンがある場合の流入外気量を示す図である。
【図１０】本発明に係る攪拌ファンによる空気の循環状態を示す図である。
【図１１】本発明に係るエアカーテン装置の別の実施例を示す図である。
【符号の説明】
【００８６】
１    空気調整装置
２    建造物
１０    アトリウム
１１    第１出入り口
１２    エアカーテン装置
１３    攪拌ファン
１４    第２出入り口
１５    風除室
１６    ファン
１７    空気送出路
１８    空気吹き出し口
１９    空気吸い込み口
２０    空気回収路
２１    仕切部材
２２    サプライチャンバー
２３    吸い込みチャンバー
２４Ａ，２４Ｂ    空気
２５    床部
２８    空気
２９    モデル出入り口
３０    空気
３１    床面
３２    仕切壁
【図１】
2006029624.tif 000003
【図２】
2006029624.tif 000004
【図３】
2006029624.tif 000005
【図４】
2006029624.tif 000006
【図５】
2006029624.tif 000007
【図６】
2006029624.tif 000008
【図７】
2006029624.tif 000009
【図８】
2006029624.tif 000010
【図９】
2006029624.tif 000011
【図１０】
2006029624.tif 000012
【図１１】
2006029624.tif 000013